【誤訳訂正書】
【提出日】令和3年6月17日(2021.6.17)
【誤訳訂正１】
【訂正対象書類名】明細書
【訂正対象項目名】全文
【訂正方法】変更
【訂正の内容】
【発明の詳細な説明】
【発明の名称】原子層堆積のための装置および方法
【技術分野】
【０００１】
本発明は、全般的には原子層堆積（Atomic Layer Deposition：ＡＬＤ）に関する。より具体的には、本発明は、原子層堆積（ＡＬＤ）のためのシステムに関するが、これに限定されない。
【発明の背景】
【０００２】
本セクションは、現況技術を代表する本明細書に記載の任意の技術を含めない、有用な背景情報を示す。
【０００３】
原子層堆積（ＡＬＤ）でコーティングされる基板バッチ処理は、使いやすさ、高品質のコーティングおよび最適化されたスループットを提供するシステムによって行われることが好ましい。
【０００４】
ハイスループットのために自動化基板ハンドリングを用いた処理を提供しようとした従来技術の原子層堆積システムが存在する。幾分関連したシステムが、例えば以下の刊行物に開示されている。
【０００５】
ＵＳ２００７／０２９５２７４は、ハイスループットおよび最小設置面積のために構成されたＡＬＤまたはＣＶＤ処理に使用されるバッチ処理プラットフォームを開示している。一実施形態では、処理プラットフォームは、大気移送領域と、バッファ室およびステージングプラットフォームを有する少なくとも１つのバッチ処理室と、搬送領域に配置された移送ロボットとを備え、移送ロボットは複数の基板ハンドリングブレードを備えた少なくとも１つの基板移送アームを有する。
【０００６】
ＥＰ２，２４９，３７９は、真空状態で維持されうる室と、室内に配置され、所定のピッチで互いに積層される複数の基板を支持する基板支持部材と、基板支持部材を上方または下方に移動させる基板移動デバイスと、基板支持部材内で積層された各基板が延びる方向に平行な方向にガスを連続的に噴霧するガス噴霧デバイスと、ガス噴霧デバイスの室の反対側に配置され、ガス噴霧デバイスから噴霧されたガスを吸引し排気するガス排出デバイスとを備えたバッチ式ＡＬＤ装置を開示している。
【０００７】
ＵＳ４，５８２，７２０は、隣り合っている室間にシャッタを備えて連続配置された基板導入室と、反応室と、基板除去室とを備えた、非単結晶層を形成するための装置を開示している。１つまたは複数の基板は、その表面が垂直平面内に横たわるホルダに設置され、次々に基板導入室、反応室および基板除去室に運ばれる。
【０００８】
ＵＳ２００１／００１３３１２は、基板を、気相反応物質の交互に繰り返される表面反応に暴露することによって、基板表面上に薄膜を成長させる装置を開示している。この装置は、密閉可能構造を有する少なくとも１つの処理室と、前記処理室の内部に適合するのに適した構造を有し、少なくとも一部が可動である反応空間を含む少なくとも１つの反応室と、前記反応物質を前記反応空間に供給するために前記反応空間に接続可能な送り込み手段と、余分な反応物質および反応ガスを前記反応空間から排出するために前記反応空間に接続可能な送り出し手段と、前記反応空間内に適合する少なくとも１つの基板とを備える。
【０００９】
ＵＳ２０１０／００２８１２２は、複数のＡＬＤ反応炉が互いに対してパターンで配置され、各ＡＬＤ反応炉がＡＬＤ処理のために基板バッチを受け取るように構成され、各ＡＬＤ反応炉が上方からアクセス可能な反応室を備える装置を開示している。複数のロードシーケンスは、ロードロボットにより行われる。
【００１０】
ＷＯ２０１４／０８００６７は、複数の基板を堆積反応炉のロード室内の基板ホルダにロードして、前記基板ホルダ内の水平に配向された基板の垂直スタックを形成し、基板ホルダを回転させて、垂直に配向された基板の水平スタックを形成し、堆積のために堆積反応炉の反応室内へと基板ホルダを下ろす装置を開示している。
【００１１】
本発明の目的は、ハイスループットバッチ処理を用いる改善された原子層堆積システムを提供することである。
【摘要】
【００１２】
本発明の第１の例示的な態様によれば、原子層堆積（ＡＬＤ）のためのシステムが提供される。このシステムは、
・  真空室、前記真空室内の反応室、および前記反応室内に水平なガス流を提供するように構成されたガス入口構成およびフォアラインを備えた反応室要素と、
・  反応室蓋を含むアクチュエータ構成と、
・  第１のロードロックを備えた少なくとも第１のロードロック要素と、
を備え、
前記アクチュエータ構成は、処理される基板または基板バッチを受け取り、前記第１のロードロックを通して前記真空室内に前記基板または前記基板バッチを水平に移送するように構成され、
前記アクチュエータ構成は、前記真空室内の前記基板または前記基板バッチを前記反応室内に下ろすことによって前記反応室を前記蓋で閉鎖するようにさらに構成される。
【００１３】
前記基板または基板バッチとしては、例えば、ウェハ、ガラス、シリコン、金属またはポリマー基板、プリント回路基板（Printed Circuit Board：ＰＣＢ）、および３Ｄ基板が挙げられる。
【００１４】
特定の例示的実施形態では、前記反応室内のガスが、（実質的に）横断構造と衝突することなく、前記ガス入口構成から前記反応室を横切り、前記基板表面に沿って前記フォアラインまで移動する、貫流型反応室（またはクロスフロー反応炉）が提供される。
【００１５】
特定の例示的実施形態では、前記基板は前記反応室内のガス流の方向に配向される。特定の例示的実施形態では、前記反応室内の（原子層堆積に暴露される）前記基板の表面は、前記反応室内の前駆体ガス流の方向と平行である。
【００１６】
特定の例示的実施形態では、前記基板バッチ内の基板は、水平に配向され、水平に配向された基板の垂直スタックを形成する。特定の例示的実施形態では、前記基板バッチ内の基板は、垂直方向に配向され、垂直方向に配向された基板の水平スタックを形成する。
【００１７】
特定の例示的実施形態では、前記ガス入口構成および前記フォアラインは前記反応室の別々の側に配置されている。特定の例示的実施形態では、前記ガス入口構成および前記フォアラインは前記反応室の反対側に配置されている。
【００１８】
特定の例示的実施形態では、前記アクチュエータ構成は、前記ロードロック要素またはロードロック内で前記基板または基板バッチを受け取る。
【００１９】
特定の例示的実施形態では、システムは、前記基板または基板バッチを前記ロードロック要素またはロードロックに移送するように構成されたローダをさらに備える。
【００２０】
特定の例示的実施形態では、前記アクチュエータ構成は、前記第１のロードロック要素内の第１の水平アクチュエータと、前記反応室要素内の垂直アクチュエータとを備え、前記第１の水平アクチュエータは、前記基板または前記基板バッチを受け取り、前記第１のロードロックを通して前記真空室内に前記基板または前記基板バッチを水平に移送するように構成され、前記垂直アクチュエータは、前記第１の水平アクチュエータから前記基板または前記基板バッチを受け取り、前記反応室内に前記基板または前記基板バッチを下ろすように構成されている。特定の例示的実施形態では、前記垂直アクチュエータは、前記基板または前記基板バッチを保持する基板ホルダを持ち上げて、前記基板ホルダ上の前記水平アクチュエータのグリップを解放するように構成されている。
【００２１】
特定の例示的実施形態では、前記基板または基板バッチは、これらがロードされる際に通るものとは別の開口部を通してアンロードされる。
【００２２】
特定の例示的実施形態では、前記システムは、第２のロードロックを含む第２のロードロック要素を備える。
【００２３】
特定の例示的実施形態では、前記システムは、前記第１のロードロックと前記真空室のロード開口部との間の第１のロードバルブを備える。
【００２４】
特定の例示的実施形態では、前記システムは、前記第１のロードロックと前記真空室のロード開口部との間の第１のロードバルブと、前記第２のロードロックと前記真空室のロード開口部との間の第２のロードバルブとを備える。
【００２５】
特定の例示的実施形態では、前記アクチュエータ構成は、前記第２のロードロック要素内に第２の水平アクチュエータを備える。特定の例示的実施形態では、前記第２の水平アクチュエータは、前記垂直アクチュエータから前記基板または基板バッチを受け取るように構成されている。
【００２６】
特定の例示的実施形態では、前記第１のロードロックは限られた閉鎖容積を形成し、前記アクチュエータ構成の一部を構成する。
【００２７】
前記アクチュエータ構成は、前記第１のロードロック要素および前記反応室要素の両方（ならびに、特定の実施形態では前記第２のロードロック要素）に部品を有するアクチュエータ構成であってもよい。特定の例示的実施形態では、前記システムは自動化基板ハンドリングを提供するように構成されている。特定の例示的実施形態では、前記自動化基板ハンドリングは、前記第１のロードロック要素または前記ロードロックから前記反応室要素の前記反応室内に、前記基板または基板バッチを自動的に（人手を介さずに）移送することを含む。特定の例示的実施形態では、前記自動化基板ハンドリングは、前記反応室から前記第１または第２のロードロック要素または前記ロードロックに、前記基板または基板バッチを自動的に（人手を介さずに）移送することをさらに含む。特定の例示的実施形態では、前記自動化基板ハンドリングは、ロードモジュールから前記第１のロードロック要素または前記ロードロック内に、前記基板または基板バッチを自動的に（人手を介さずに）移送することを含む。
【００２８】
特定の例示的実施形態では、前記システムは、装置前面モジュールなどのロードモジュール、および／または前記第１のロードロック要素に接続されたロードロボットを備える。
【００２９】
特定の例示的実施形態では、前記真空室は、前記真空室の少なくとも１つのロード開口部の前に移動されるように構成された少なくとも１つのシールド要素を備える。
【００３０】
特定の例示的実施形態では、前記少なくとも１つのシールド要素は、複数のアクチュエータと共に、かつ／または前記複数のロードバルブの開閉と同期して、移動するように構成されている。
【００３１】
特定の例示的実施形態では、前記システムは、残留ガス分析器（Residual Gas Analyzer：ＲＧＡ）を備え、かつ前記第１および／もしくは前記第２のロードロック要素に、かつ／または前記フォアラインに接続された、少なくとも１つの残留ガス分析器要素を備える。特定の例示的実施形態では、前記システムは、前記ＲＧＡから受信した情報に基づきプロセスタイミングを制御するように構成されている。このプロセスタイミングは、例えば、前記ロードロック内の基板または基板バッチの前処理時間、または前駆体パルスの開始時点を指してもよい。
【００３２】
特定の例示的実施形態では、前記ＲＧＡは、前記反応室内のクリーニングおよび／または反応物質の送り込みおよび／またはパルスシーケンスのタイミングを、ユーザに調整させるかまたは自動的に調整するために、前記反応室からの流出ガスを分析するように構成されている。特定の例示的実施形態では、前記ＲＧＡは前記システム内の漏れを検出するように構成されている。
【００３３】
特定の例示的実施形態では、前記反応室は、取り外し可能なまたは固定された流れガイド要素を備える。特定の例示的実施形態では、前記流れガイド要素は複数の開口部を備える。特定の例示的実施形態では、前記流れガイド要素は固定されたまたは取り外し可能なフレームに取り付けられる。特定の例示的要素では、前記流れガイド要素は、前記反応室のガス入口側に配置されている。特定の例示的実施形態では、前記反応室は、前記反応室の排気側に取り外し可能なまたは固定された流れガイド要素を備える。特定の例示的実施形態では、前記反応室は両方の流れガイド、すなわち、前記ガス入口側にある流れガイドと、フォアライン（排気）側にある流れガイドとを備える。特定の例示的実施形態では、前記反応室要素内の圧力および流れに作用する、制御されたフォアライン流が提供される。前記流れガイド要素は、前記反応室要素内のガス流および圧力に対して制御された作用をもたらし、それによってコーティングの均一性を最適化できる可能性が向上する。
【００３４】
特定の例示的実施形態では、前記システムは、前記反応室要素に接続された少なくとも１つの加熱供給源要素を備える。
【００３５】
特定の例示的実施形態では、前記システムは、前記真空室内を通る供給源入口を備える。特定の例示的実施形態では、前記システムは、入口ライン内の前駆体化学物質の温度を安定させるために前記真空室内の回り道を通る反応室供給源入口ラインを備えた温度安定化構成を備える。これは、前記真空室の外側から反応室まで実質的に最短の経路を通る反応室供給源入口ラインを有することとは対照的である。
【００３６】
特定の例示的実施形態では、前記フォアラインは前記真空室内を通る。特定の例示的実施形態における前記フォアラインは、自身への化学吸収を防止するために前記フォアラインを高温（真空室内に広がる温度付近）に保つために前記真空室の外側に向かう途中で回り道をとる。フォアラインが高温になると、より多くの化学反応が発生し、化学物質が拡散して前記反応室に戻る可能性が低下する。
【００３７】
特定の例示的実施形態では、前記システムは、処理される前記基板または前記基板バッチを保持するためのカセットを備える。特定の例示的実施形態では、前記システムは、処理される前記基板または前記基板バッチを水平に保持するためのカセットを備える。特定の例示的実施形態では、基板はカセットなどなしで取り扱われる。
【００３８】
特定の例示的実施形態では、前記基板または基板バッチは、基板ホルダにより前記基板または基板バッチを保持することによって、前記ロードロックおよび前記反応室要素内で取り扱われる。前記基板ホルダは加工されていない基板を保持することができる。特定の例示的実施形態では、前記基板ホルダは、前記基板（複数可）を載せるための１つまたは複数の下敷きを備える。あるいは、前記基板ホルダは、別の基板ホルダ（例えばカセット）内に置かれた複数の基板を保持する。前記ホルダは、前記基板または基板バッチの配向を垂直方向から水平方向（または水平方向から垂直方向）に変えるために、前記真空室内で向きを変えることができる。
【００３９】
特定の例示的実施形態では、前記システムは、前記反応室内で前記基板または前記基板バッチを回転させるように構成された回転機を備える。したがって、特定の例示的実施形態では、前記システムは、原子層処理中に前記反応室内で前記基板または前記基板バッチを回転させるように構成されている。特定の例示的実施形態では、前記基板または前記基板バッチを保持する前記基板ホルダは回転基板ホルダである。
【００４０】
特定の例示的実施形態では、前記システムは、前記第１のロードロック要素内で前記基板または基板バッチを加熱するように構成されている。特定の例示的実施形態では、前記システムは、前記第１または第２のロードロック要素内で（ＡＬＤにより処理された）前記基板または基板バッチを冷却するように構成されている。特定の例示的実施形態では、前記システムは、前記第１のロードロック要素および第２のロードロック要素のうちの少なくとも一方において前記基板または前記基板バッチを加熱または冷却するように構成されている。
【００４１】
特定の例示的実施形態では、前記システムは、ロードロック圧力を前記反応室内で使用される圧力未満に低下させるように構成されている。
【００４２】
特定の例示的実施形態では、前記システムは、前記ロードロック内の前記基板または前記基板バッチから流入するガスを測定するように構成されている。
【００４３】
本発明の第２の例示的態様によれば、原子層堆積（ＡＬＤ）のためのシステムの動作方法が提供される。この動作方法は、
基板または基板バッチを第１のロードロックに移送することと、
前記基板または前記基板のバッチを前記第１のロードロックからさらに第１のロードバルブおよびロード開口部を介して真空室に水平に移送することと、
前記真空室内で前記基板または前記基板バッチを受け取り、前記真空室内の反応室内に前記基板または前記基板バッチを下ろし、この下ろす動作により、前記反応室を蓋で閉鎖することと、
前記反応室内で原子層堆積を実行することと、
前記基板または前記基板バッチを前記反応室から持ち上げることと、
前記反応室から前記基板または前記基板バッチを受け取り、前記真空室から前記第１のロードバルブまたは第２のロードバルブおよびロード開口部を介して前記第１のロードロックまたは第２のロードロック内へと、前記基板または前記基板バッチを移送することと、
を含む。
【００４４】
特定の例示的実施形態では、前記方法は、前記原子層堆積の前に、前記少なくとも１つのロード開口部の前に少なくとも１つのシールド要素をそれぞれ移動させることと、前記原子層堆積後に、前記少なくとも１つのロード開口部の前から前記少なくとも１つのシールド要素をそれぞれ除去することと、を含む。
【００４５】
特定の例示的実施形態では、前記方法は、前記システム内のカセット（または基板ホルダ）内で前記基板または基板バッチを保持することを含む。特定の例示的実施形態では、単一または複数の基板はカセットなどなしで取り扱われる。
【００４６】
特定の例示的実施形態では、前記方法は、前記基板または基板バッチのシステムをカセット内にロードしてから前記ロードロックに移送することを含む。特定の例示的実施形態では、前記方法は、前記基板または基板バッチのシステムを前記ロードロックからロードすることを含む。
【００４７】
特定の例示的実施形態では、前記方法は、水平方向に前記反応室内のガス送り込みを提供する。特定の例示的実施形態では、前記反応室内のガス送り込みは、前記基板（複数可）の水平移送方向を横切る。特定の例示的実施形態では、前記反応室内のガス送り込みは、前記基板（複数可）の水平移送方向と平行である。
【００４８】
特定の例示的実施形態では、前記反応室内の１種または複数種のガスの圧力または流速は、フォアライン内の流入ガス流および／または流出ガス流を制御することによって調整される。
【００４９】
特定の例示的実施形態では、化学的耐久性を改善し、かつ／または内側への熱反射を改善するように、前記反応室の一部を形成し、金属酸化物によって保護される１つまたは複数の表面が使用される。
【００５０】
第３の例示的態様によれば、原子層堆積（ＡＬＤ）のためのシステムの動作方法が提供される。この動作方法は、
反応室の外側であるが真空室の内側にシールド要素を設けることと、
前記シールド要素を前記真空室内で、前記真空室のロード開口部の前に移動させることと、
前記真空室内の前記反応室内で原子層堆積を実行することと、
を含む。
【００５１】
第４の例示的態様によれば、原子層堆積（ＡＬＤ）のための装置が提供される。この装置は、
真空室内の反応室と、
前記反応室の外側であるが前記真空室の内側にあるシールド要素と
を備え、前記装置は、
前記シールド要素を前記真空室内で、前記真空室のロード開口部の前に移動させ、
前記真空室内の前記反応室内で原子層堆積を実行する、
ように構成される。
【００５２】
第５の例示的態様によれば、原子層堆積（ＡＬＤ）のためのシステムの動作方法が提供される。この動作方法は、
真空室内の反応室と、前記反応室から前記真空室の外側に通じるフォアラインを設けることを含み、前記方法は、
前記フォアラインが前記真空室の外側に向かう途中で前記真空室内において回り道をとることを可能にすることによって、前記フォアライン内の熱を維持することと、
を含む。
【００５３】
第６の例示的態様によれば、原子層堆積（ＡＬＤ）のための装置が提供される。この装置は、
真空室内の反応室と、
前記反応室から前記真空室の外側に向かう途中で回り道をとるフォアラインと、
を備える。
【００５４】
第７の例示的態様によれば、原子層堆積（ＡＬＤ）のためのシステムの動作方法が提供される。この動作方法は、
真空室内に反応室を設けることと、
前記反応室内で高感度基板または高感度基板バッチに原子層堆積を実行することと、
前記堆積後に、前記高感度基板または前記高感度基板バッチを、前記真空室を介して、前記真空室に接続されたロードロックに移送することと、
前記高感度基板または前記高感度基板バッチを、前記ロードロック内において真空中で冷却することと、
を含む。
【００５５】
前記高感度基板としては、例えば、ガラス、シリコン、ＰＣＢおよびポリマー基板が挙げられる。さらなる例示的実施形態では、金属基板または金属基板バッチが、前記ロードロック内において真空中で冷却される。
【００５６】
第８の例示的態様によれば、原子層堆積（ＡＬＤ）のための装置が提供される。この装置は、
真空室内に反応室を備えた反応室要素と、
前記反応室に接続され、前記反応室からガスを導き出すように構成されたフォアラインと、
前記フォアラインに接続された残留ガス分析器と、
前記反応室要素および前記残留ガス分析器に接続された制御要素と、
を備え、
前記制御要素は、前記残留ガス分析器によって測定された受信情報によりプロセスタイミングを制御するように構成されている。
【００５７】
特定の例示的実施形態では、前記測定情報は、前記反応室から流出するガスの水分レベルを含む。特定の例示的実施形態では、前記測定情報は、前記反応室から出て来る反応生成物または副生成物の量に関する情報を含む。特定の例示的実施形態では、前記制御要素は、前記受信情報が所定の限度を超えた場合に前駆体パルスの開始を防ぐように構成されている。特定の例示的実施形態では、前記制御要素は、前記反応室内に化学物質が供給され、したがって反応炉の適切な機能を確認することを確実にするように構成されている。
【００５８】
真空中で冷却することにより、堆積される基板（複数可）を損傷する危険性が最小限に抑えられる。特定の例示的実施形態では、冷却時に前記ロードロックで使用される真空圧力は、前記真空室で使用される真空圧力と同じである。
【００５９】
ここまで、本発明を限定しないさまざまな例示的態様および実施形態を例示してきた。上記の実施形態は、本発明の実施に利用されうる選択された態様またはステップを説明するためにのみ使用される。いくつかの実施形態は、本発明の特定の例示的態様への言及によってのみ提示されている場合もある。対応する実施形態は他の例示的態様にも適用できることを理解されるべきである。これら実施形態は、任意かつ適切に組み合わされてもよい。
【図面の簡単な説明】
【００６０】
ここで添付の図面を参照して、単なる例として本発明を説明する。
【図１】図１は、本発明の一実施形態による原子層堆積（ＡＬＤ）システムの概略上面図を示す。
【図２】図２は、本発明の一実施形態による原子層堆積（ＡＬＤ）システムの概略側面図を示す。
【図３】図３は、本発明の一実施形態による原子層堆積（ＡＬＤ）システムの反応室要素の概略図を示す。
【図４】図４は、本発明の一実施形態による原子層堆積（ＡＬＤ）システムの反応室要素内の概略図を示す。
【図５】図５は、本発明の一実施形態による原子層堆積（ＡＬＤ）システムの反応室要素内の概略図を示す。
【図６】図６は、本発明の一実施形態による原子層堆積（ＡＬＤ）システムの反応室要素内の概略図を示す。
【図７】図７は、本発明の一実施形態による原子層堆積（ＡＬＤ）システムの反応室要素内の概略図を示す。
【図８】図８は、本発明の一実施形態による原子層堆積（ＡＬＤ）システムの反応室の概略側面図を示す。
【図９】図９は、本発明の一実施形態による原子層堆積（ＡＬＤ）システムの反応室要素をロードする概略原理図を示す。
【図１０】図１０は、本発明のさらに別の実施形態による原子層堆積（ＡＬＤ）システムの概略上面図を示す。
【図１１】図１１は、本発明の一実施形態による原子層堆積（ＡＬＤ）システムの動作方法のフローチャートを示す。
【図１２】図１２は、本発明の代替的実施形態による原子層堆積（ＡＬＤ）システムの反応室要素をロードする概略原理図を示す。
【図１３】図１３は、本発明のさらに別の実施形態による原子層堆積（ＡＬＤ）システムの反応室要素内の概略図を示す。
【詳細説明】
【００６１】
以下の説明においては、原子層堆積（ＡＬＤ）技術を例として用いる。ＡＬＤ成長メカニズムの基本は、当業者には公知である。ＡＬＤは、少なくとも１枚の基板に少なくとも２つの反応性前駆体種を順次導入することによる、特殊な化学的堆積法である。しかしながら、これらの反応性前駆体のうちの１つは、光エンハンストＡＬＤまたはＰＥＡＬＤを用いた場合にエネルギーで置き換えることができるため、単一前駆体ＡＬＤプロセスにつながることが理解されるべきである。ＡＬＤによって成長した薄膜は緻密でピンホールがなく、かつ均一の厚さを有する。
【００６２】
少なくとも１つの基板を通常、反応容器内で時間的に分断された前駆体パルスに暴露することで、順次自己飽和表面反応により、材料を上記基板の表面に堆積させる。本出願の文脈において、ＡＬＤという用語は、あらゆる適用可能なＡＬＤによる技術と、同等または密接に関連する技術とを含む。この例としてＭＬＤ（Molecular Layer Deposition）（分子層堆積）、ＰＥＡＬＤ（Plasma Enhanced Atomic Layer Deposition）（プラズマエンハンスト原子層堆積）および光エンハンスト原子層堆積（フラッシュエンハンストＡＬＤとしても知られる）などのＡＬＤのサブタイプが挙げられる。
【００６３】
基本的なＡＬＤ堆積サイクルは、連続する４つのステップ、すなわち、パルスＡ、パージＡ、パルスＢ、およびパージＢで構成される。パルスＡは第１の前駆体蒸気で構成され、パルスＢは別の前駆体蒸気で構成される。パージＡおよびパージＢ期間中にガス状反応副生成物と残留反応物分子とを反応空間からパージするために、不活性ガスと真空ポンプとが一般に用いられる。１つの堆積シーケンスは、少なくとも１つの堆積サイクルを含む。堆積シーケンスによって所望の厚さの薄膜または被膜が生成されるまで、堆積サイクルが繰り返される。堆積サイクルはより簡単であっても、より複雑であってもよい。例えば、サイクルは、パージステップによって分かれた３つ以上の反応物質蒸気パルスを含んでもよく、または特定のパージステップを省いてもよい。これらの堆積サイクルはすべて、論理演算装置またはマイクロプロセッサによって制御される定期堆積シーケンスを形成する。
【００６４】
図１は、本発明の一実施形態による原子層堆積（ＡＬＤ）システム１００の概略上面図を示す。ＡＬＤシステム１００は、堆積のためにシステムにロードされる基板を受け取るように構成された第１のロードロック要素１１０を備える。一実施形態では、基板は、ロードのために基板ホルダまたはカセットに配置され、カセットは、ＡＬＤシステム１００に含まれるカセット要素１２０によって取り扱われる。一実施形態では、カセット要素１２０は、手動でカセットをロードロック要素１１０にロードすることにより交換される。あるいは、基板はロードロック要素１１０内の基板ホルダまたはカセットにロードされる。一実施形態では、第１のロードロック要素はまた、堆積後にシステムからアンロードされる基板を受け取るように構成されている。
【００６５】
ＡＬＤシステム１００は、単一部品の真空室を備えた反応室要素１６０をさらに備える。第１のロードロック要素１１０は、後述するように、第１のゲートバルブ要素２３０を介して反応室要素１６０に接続されている。システム１００は、制御要素１３０と、液体およびガス供給源を備えた化学物質供給源要素１４０と、加熱化学物質供給源要素１７０とをさらに備える。さらなる実施形態では、ＡＬＤシステム１００は、一実施形態ではさらなるゲートバルブ要素に接続された、列になっているいくつかの反応室要素を備える。化学物質供給源は図１の特定の側に描かれているが、一実施形態では、供給源要素１４０および加熱供給源要素１７０の位置は状況に応じて異なるように選択される。
【００６６】
ＡＬＤシステム１００は、一実施形態では、堆積後にアンロードされる基板を受け取るように構成された第２のロードロック要素１５０をさらに備える。第２のロードロック要素は、後述するように、第２のゲートバルブ要素２５０を介して反応室要素１６０に接続されている。
【００６７】
ＡＬＤシステム１００は、第１および／もしくは第２のロードロック要素に、かつ／または粒子トラップ１９０の前のフォアラインに接続された残留ガス分析器（ＲＧＡ）１８０を含む残留ガス分析器要素をさらに備える。
【００６８】
前述および後述のＡＬＤシステム１００の要素は、システムから個々に取り外し可能であるため、例えば定期的なメンテナンスの場合にアクセスしやすいことに留意されたい。
【００６９】
図２は、本発明の一実施形態による原子層堆積（ＡＬＤ）システムの概略側面図を示す。図２に示すシステムは、図１を参照して前述した要素を備える。
【００７０】
第１のロードロック要素１１０は、処理される基板をロードした基板ホルダ（またはカセット）を反応室要素１６０内に移送するように構成された第１の水平アクチュエータ２１０を備える。一実施形態では、第１の水平アクチュエータはリニアアクチュエータを含む。本明細書では、カセットおよび基板ホルダという用語は同じ意味で用いられる。基板がロードロック要素１１０にロードされるカセットは、必ずしもさらに同システム内で基板（複数可）を保持するのと同じ基板ホルダでなくてもよい。
【００７１】
第１のロードロック要素は第１のロードロック２２０をさらに含む。基板を保持するカセット／ホルダは、カセット要素１２０を使用して第１のロードロックにロードされる。第１のロードロック２２０は、基板のカセットが通って挿入されるドアを備える。代替的実施形態では、カセット（または別の基板ホルダ）からの平面基板または３Ｄ基板または基板バッチは、第１のロードロック２２０内で待機している基板ホルダにロードされる。したがって、基板または基板バッチは、基板（複数可）を既に保持しているカセットと一緒に、またはあるカセットから第２のカセットへとロードすることができる。一実施形態では、第１のロードロックは、大気圧での対流を用いてロードロックを所望の温度に保持するように構成された循環温度コントローラをさらに備える。
【００７２】
一実施形態では、ロードロックは、
・  基板（複数可）を加熱すること、
・  基板（複数可）を冷却すること、
・  中間空間（すなわち、真空室壁と反応室壁との間の空間）の真空中でロードロックを排気すること、
・  中間空間の圧力よりも低い圧力およびＡＬＤ反応条件、例えば５０μｂａｒの真空中でロードロックを排気すること、
・  その温度を均一にするために、基板（複数可）を連続ガス流でパージすること、
・  乾燥および／または清浄にするために、基板（複数可）を連続ガス流でパージすること、
・  例えばロードロック内で動作するファンによって、ロードロック内を均一に加熱すること、
・  ＲＧＡ１８０を使用して、流出ガスを分析すること、
のうちの１つまたは複数を実行するように構成されている。
【００７３】
一実施形態では、ロードロックは不活性ガス雰囲気を含む。さらなる実施形態では、ロードロックは加熱および脱気に作用するための可変真空状態を含む。一実施形態では、ロードロックは、マイクロ波などの熱放射線または電磁放射線によって加熱される。
【００７４】
第１のロードロック２２０は、一実施形態では、ロードロックを排気するように構成されたポンプ、例えばターボ分子ポンプを備える。第１のロードロック２２０は、例えば、ガス接続部、電気接続部およびさらなる構成部品を当該分野で公知のように備えることに留意されたい。
【００７５】
第１のロードロック要素１１０は、第１のロードロック２２０を反応室要素１６０に接続するように構成された第１のゲートバルブ要素２３０、すなわちロードバルブをさらに備える。第１のロードバルブ２３０は、第１の水平アクチュエータ２１０が処理される基板を保持したカセットを反応室要素１６０に移送できるように開くように構成され、かつ反応室要素１６０を閉鎖するために閉鎖するように構成されている。一実施形態では、第１のロードロックおよび第１のロードバルブはさらに、反応室要素１６０をアンロードするように構成されている。
【００７６】
反応室要素１６０は、処理される基板のカセットを第１の水平アクチュエータから受け取り、カセットを反応室要素１６０の下部の反応室に下ろし、そこからカセットを持ち上げるように構成された垂直アクチュエータ２４０を備える。
【００７７】
ＡＬＤシステム１００の第２のロードロック要素１５０は、第１のロードロック要素１１０と同様の構成部品を備える。第２のロードロック要素１５０は、前述した第１のロードロック２２０と同様の特性および構造を有する第２のロードロック２６０を含む。第２のロードロック要素は、処理されたカセットを反応室要素１６０から第２のロードロック２６０に移送するように構成された第２の水平アクチュエータ２７０をさらに備える。
【００７８】
第２のロードロック要素１５０は、第２のロードロック２６０を反応室要素１６０に接続するように構成された第２のゲートバルブ要素２５０、すなわち第２のロードバルブをさらに備える。第２のロードバルブ２５０は、第２の水平アクチュエータ２７０が処理された基板を保持したカセットを反応室要素１６０から移送できるように開くように構成され、かつ反応室要素１６０を閉鎖するために閉鎖するように構成されている。
【００７９】
アクチュエータ２１０、２４０（またはアクチュエータ２１０、２４０および２７０）は、アクチュエータ構成を形成する。一実施形態では、アクチュエータ構成は、基板を反応室内のその位置に対して水平方向および垂直方向に移動させるように構成されている。
【００８０】
一実施形態によれば、通常動作において、カセット内の基板またはサンプルは、周囲気圧でロードロック２２０（または２６０）にロードされ、その後ロードロックのドアが閉鎖される。使用中のプログラムに応じて、ロードロックは、ロードされる基板のためにプログラムされているように、制御された温度および圧力まで排気され通気される。ロードの例は、１μｂａｒ（１×１０−６ｂａｒ）の真空まで周囲ガスを排気すること、不活性ガスでロードロックを予め選択した圧力まで通気すること、ＲＧＡ１８０を用いて流出ガスを測定しながら基板を加熱すること、および反応室要素１６０の中間空間の真空レベルまで真空レベルを調整することを含む。基板の加熱は、例えば、ファン、熱放射線および／または循環圧力を用いた空気流により加速することができる。一実施形態では、基板を反応室要素１６０に移送する時点で、基板は反応室要素１６０と同じ温度である。
【００８１】
一実施形態によれば、反応室要素１６０（または図４の反応室４２０）からの流出ガスの水分レベルは、システムに含まれるＲＧＡ１８０によって測定される。一実施形態におけるこの受信情報（水分レベル）を使用して、制御要素１３０による原子層堆積の開始を制御する。
【００８２】
一実施形態では、ＲＧＡ１８０に接続された制御要素１３０は、ＲＧＡ１８０から受信した情報に基づいて前駆体パルスの開始時点を制御する。ＲＧＡ１８０は、例えば、反応室の排気ガスの水分レベルおよび／または反応室４２０から出て来る反応生成物もしくは副生成物の量を測定する。ＲＧＡ１８０は、反応室４２０の排気口および／またはフォアライン６３０（図６）に接続されている。
【００８３】
図３は、本発明の一実施形態による原子層堆積（ＡＬＤ）システムの反応室要素１６０の概略図を示す。真空室３１０を備えた反応室要素１６０は、動作中、ロード中およびアンロード中に真空に保たれる中間空間として知られる内部を有する。一実施形態では、真空室３１０は一体成形の真空室を含み、すなわち、真空室および反応室のための別個の外部本体がない。別の実施形態では、複数の反応室がある。さらなる実施形態では、真空室３１０の内側の複数の室、またはさらなる反応室要素間での基板の持ち上げは、一実施形態では、アクチュエータ２１０、２７０を用いて行われる。
【００８４】
反応室要素１６０は、真空室３１０内で基板のカセットを垂直方向に移送するように構成された垂直アクチュエータ２４０を備える。同じまたは異なるアクチュエータを使用して、中間空間から反応室の蓋を閉じる。
【００８５】
一実施形態では、反応室要素は、第２のロードバルブ２５０に接続されたロード開口部３５０の前にシールド要素を持ち上げるためのアクチュエータ要素をさらに備える。真空室３１０の他端は、第１のロードバルブ２３０に接続する同様の開口部と、開口部の前にシールド要素を持ち上げるための同様のアクチュエータ要素とを備えることを理解されたい。
【００８６】
一実施形態では、真空室３１０は、真空室３１０内への視野または適合センサを提供するように構成された１つまたは複数ののぞき窓３３０と、加熱供給源要素１７０内の非加熱もしくは加熱供給源または供給源要素１４０の非加熱供給源に接続するためのフィードスルー３４０とをさらに備える。一実施形態では、フィードスルー３４０は、供給源要素１７０の供給源に接続しており、真空室３１０（図４には図示せず）の底壁部を通過する別個のフィードスルーは、供給源要素１４０の供給源に接続する。一実施形態では真空室３１０の側壁部を通過するフィードスルー３４０と、一実施形態では供給源要素１４０から真空室３１０の底壁部を通過するフィードスルー（図示せず）との両方は、反応室４２０（図４）の入口に通じている。
【００８７】
図４は、本発明の一実施形態による原子層堆積（ＡＬＤ）システムの反応室要素１６０内の概略図を示す。真空室３１０は、一実施形態では真空室３１０の下部に反応室４２０を備え、真空室内の内部空間の残りは中間空間を形成する。真空室３１０は、垂直アクチュエータに接続され、反応室４２０を閉じるために反応室４２０上に下ろされるように構成されたカセットホルダ蓋４１０をさらに備える。それによって、カセットホルダ４１０の蓋は反応室の蓋も形成する。
【００８８】
カセットホルダ蓋４１０は、ロードされたカセットを受け取り、カセットを反応室４２０内に下ろすように構成されている。反応室にカセットホルダ蓋／反応室蓋４１０を下ろすことは、基板を上方に移動させることに勝る利点をもたらす。基板がその自重によって蓋を下方にプールしているので、追加の外力は必要としない。反応室の外側からの熱膨張によって引き起こされうる変位は無関係なものとなる。これにより、反応室４２０の縁部と蓋４１０との間の磨耗、ひいてはわずかな熱および圧力の変化に起因して起こりうる粒子形成が防止される。
【００８９】
真空室３１０は、真空室をロードするときに、ロード開口部の前から移動される、例えば下ろされ、アクチュエータ３２０を用いてロード開口部の前に移動される、例えば持ち上げられるように構成されたシールド要素４４０をさらに備える。一実施形態におけるシールド要素は、中間空間からの熱が金属板側のロードロックを加熱するのを防止するように構成された金属板を備え、すなわち、シールド要素は熱反射体として機能するように構成されている。一実施形態では、シールド要素４４０は金属板のスタックを含む。真空室の他端も同様のシールド要素４４０を備えることが理解されたい。
【００９０】
一実施形態では、シールド要素４４０の作動ならびにゲートバルブ２３０、２５０および／または蓋４１０の開閉は、両方のタスクを実行するために共通のアクチュエータと同期化および／または統合される。
【００９１】
真空室３１０は、真空室３１０および反応室４２０を所望の温度に維持するように構成された真空室３１０の内面の中間空間内に、ヒータ４５０、一実施形態では放射ヒータをさらに備える。一実施形態では、ヒータは真空室３１０の外側にあり、したがって真空室３１０の壁は熱を内部に伝導する。
【００９２】
図５は、本発明の一実施形態による原子層堆積（ＡＬＤ）システムの反応室要素１６０内の概略図を示す。真空室３１０は、加熱供給源要素１７０または供給源要素１４０に接続された供給源入口ライン５１０を備える。供給源入口ライン５１０は、反応室４２０に入る前に、真空室の温度、したがって内部の前駆体化学物質の温度を安定させるように、真空室内を一定距離通るように構成されている。反応室４２０は、その入口側に、コーティングされる基板と供給源ライン５１０から流入するガスとの間に配置されるように構成された流れガイド要素５２０を備える。一実施形態では、流れガイド要素は取り外し可能な流れガイド要素である。一実施形態では、流れガイド要素は複数の孔を備える。一実施形態では、流れガイド要素は、メッシュまたは多孔板などである。
【００９３】
図６は、本発明の一実施形態による原子層堆積（ＡＬＤ）システムの反応室要素１６０内の概略図を示す。一実施形態における反応室４２０は、固定されたまたは取り外し可能なフレーム６２０を備え、一実施形態では、第２の流れガイド要素５２０'を備える（入口側の流れガイド要素５２０も固定または取り外し可能なフレームに設置されてもよい）。一実施形態では、第２の流れガイド要素５２０'は、取り外し可能な流れガイド要素である。一実施形態では、流れガイド要素５２０'は複数の孔を備える。一実施形態では、流れガイド要素５２０'は、メッシュまたは多孔板などである。しかしながら、一実施形態では、第２の流れガイド要素５２０'の孔は、流れガイド要素５２０孔と比較して、数および／または形状および／またはサイズが異なる。
【００９４】
真空室３１０は、真空室３１０を排気するように構成されたポンプ（図示せず）、一実施形態では粒子トラップ１９０に接続された真空または排気ライン（以下フォアライン６３０と示す）を備える。一実施形態におけるフォアライン６３０は、それによる熱損失を少なくするために真空室３１０内を一定距離通り、すなわち、中間空間内のフォアライン６３０は真空室３１０と同じ温度で維持される。真空室３１０は、ヒータ要素用のフィードスルー６４０をさらに備える。中間空間は、６４０などの異なる１つまたは複数の経路を介して同じまたは異なるフォアライン６３０にさらに接続される。
【００９５】
一実施形態では、フォアライン６３０は、さらに圧力を下げ、かつ／または反応室内のガス流挙動を変えるために、粒子トラップ１９０またはポンプに直接接続されている。
【００９６】
図７は、本発明の一実施形態による原子層堆積（ＡＬＤ）システムの反応室要素１６０内の概略図を示す。図７は、閉鎖構成の反応室４２０を示しており、すなわち、反応室４２０を中間空間から閉鎖するために、蓋４１０が反応室４２０へと下ろされる。一実施形態における同じ閉鎖動作により、コーティングされる基板が反応室内へと下ろされる。図７はさらに、閉鎖位置、すなわちロード開口部の前に持ち上げられたシールド要素４４０を示す。
【００９７】
図８は、本発明の一実施形態による原子層堆積（ＡＬＤ）システムの反応室４２０の概略側面図を示す。図８は、反応室にロードされたカセット８１０をさらに示す。カセット８１０は、処理される基板８０１のバッチを含む。基板８０１はカセット内に水平に配置されるため、薄く、かつ／または可撓性の基板の処理を可能にする。一実施形態では、基板８０１は代わりに垂直に配置される。さらに別の実施形態では、カセットまたは基板ホルダなしで基板が反応室内にロードされる。そのような実施形態では、アクチュエータ構成は基板を掴みロードする。
【００９８】
図８は、ガス入口構成８２０、（第１の）流れガイド要素５２０を有する反応室の入口側と、第２の流れガイド要素５２０'およびフォアライン６３０を有する反応室の真空（または排気）側とを示す。ガス入口構成８２０およびフォアライン６３０は、水平方向の前駆体ガス流が提供されるように配置されている。
【００９９】
例示的なコーティングプロセスにおいて、中間空間は、流入ガス流および流出ガス流を制御することによって、２０〜５ｈＰａの一定圧力で維持される。一実施形態では、中間空間は、流出ガス流を制御することによって一定圧力で維持される。有利な実施形態では、通常、反応室４２０およびフォアライン６３０以外の経路を通って中間空間を出るガスがいくらかある。反応室４２０は、使用される化学的プロセスおよび処理される基板に必要な圧力および温度で動作する。圧力は通常１０〜０．１ｈＰａであるが、場合によっては０．００１ｈＰａまで下がる。有利な実施形態では、中間空間は、反応性化学物質が中間空間への圧力に逆らわないように反応室４２０よりも高い圧力を有する。
【０１００】
一実施形態では、処理される基板は、基板および必要とされるプロセスに応じて、ロードロック内で、反応室で使用される温度、例えば８０〜１６０℃または３０〜３００℃まで加熱される。
【０１０１】
ガス入口構成８２０を通る反応室４２０への流れは、流入ガスの体積または質量流量を制御することによって、また一実施形態では、代替的にまたは追加的にポンプパラメータを用いてフォアラインポンピングを制御することによって調整される。基板カセットを通る反応ガスの流速を変えることによって、必要に応じて、反応を起こすためにより長い時間が提供される。これにより、例えば、任意の形状の基板の位置決め、またはコーティングされる基板の極めて高いアスペクト比、例えば２０００：１の深さと幅の比が可能になる。一実施形態における流れの制御は、反応室、中間空間、ガス入口ラインおよびフォアライン６３０に関連する圧力の測定を含む。
【０１０２】
図９は、本発明の一実施形態による原子層堆積（ＡＬＤ）システムの反応室要素に、カセットに入った基板をロードする概略原理図を示す。カセット８１０は、第１のロードロックから第１のロードバルブを通って真空室内へと水平に移送され、蓋および蓋に取り付けられたカセットホルダ（すなわちカセットホルダ蓋４１０）によってピックアップされ、次いで垂直アクチュエータ２４０によって反応室４２０内へと垂直方向に下ろされる。
【０１０３】
図１０は、異なるカセット要素を備えた、本発明の一実施形態による原子層堆積（ＡＬＤ）システムの概略上面図を示す。本実施形態では、カセット要素１２０は、装置前面モジュール（Equipment Front End Module：ＥＦＥＭ）などのロードモジュール１０１０によって置き換えられる。ロードモジュール１０１０は、ロードロック要素１１０の片側または両側に配置されている。図１０に示すロードモジュール１０１０は、一実施形態では、ウェハなどの平面基板をロードするように構成されている。基板は、前面開口均一ポッド（Front Opening Uniform Pod：ＦＯＵＰ）などの標準ユニット１０２０内に存在していてもよい。ロードモジュール１０１０は、基板を標準ユニット１０２０からロードロック要素１１０に移送する。ロードモジュール１０１０は、複数の基板を同時に水平または垂直な１つまたは複数のスタックに移送する。ロードモジュール１０１０は、基板を個別にまたはスタックとして移送することができる。回転が必要な場合、基板（複数可）の回転はロードロボットなどで実行することができる。基板（複数可）のロードロックへの移送は、人手を介さずに実行される自動化プロセスである。
【０１０４】
さらに別の実施形態では、前駆体化学物質は、反応室蓋４１０内の流路を介して反応室４２０に供給される。本実施形態では、ガス入口構成８２０は、反応化学物質を蓋４１０に供給するように構成され、分配板（流れガイド要素）５２０は、基板に水平に配置される。本実施形態では、フォアライン６３０は反応室４２０の底部に配置されている。
【０１０５】
図１１は、本発明の一実施形態による原子層堆積（ＡＬＤ）システムの動作方法のフローチャートを示す。ステップ１１００では、処理される基板バッチは、カセット８１０に水平にロードされ、カセット８１０は、カセット要素１２０を用いてステップ１１１０で第１のロードロック１１０にロードされる。ステップ１１２０では、カセット８１０は、第１の水平アクチュエータ２１０を用いて真空室３１０に水平に移送され、垂直アクチュエータ２４０に接続された蓋４２０によってピックアップされる。ステップ１１３０では、カセットは、反応室４２０内に下ろされ、シールド要素４４０はロード開口部の前に移動され、一実施形態では持ち上げられる。ステップ１１４０では、原子層堆積が反応室４２０内で実行される。ステップ１１５０では、カセット８１０が反応室４２０から持ち上げられ、シールド要素４４０は、ロード開口部の前から移動され、一実施形態では下げられる。ステップ１１６０では、カセットは、第１の水平アクチュエータ２１０または第２の水平アクチュエータ２７０によってピックアップされ、第１のロードロック２２０または第２のロードロック２６０に移送される。複数の反応室を有する実施形態では、反応室はすべて、ロードロック２１０から同じようにロードされる。
【０１０６】
図１２は、本発明の代替的実施形態による原子層堆積（ＡＬＤ）システムの反応室要素をロードする概略原理図を示す。本実施形態では、基板は、ホルダ８０１内で垂直に配向され、垂直に配向された基板の水平スタックを形成する。その他の点では、本実施形態の動作は図９の動作に対応する。前駆体ガス流は、基板表面と平行であるため、流れ方向は図１２の「後ろから前」である。
【０１０７】
図１３は、本発明のさらに別の実施形態による原子層堆積（ＡＬＤ）システムの反応室要素内の概略図を示す。本実施形態では、カセット８１０を有する基板８０１は、蓋１３１０を介して回転カセットホルダによって保持される。基板８０１（またはカセット８１０）を保持するホルダ部１３０５は、垂直アクチュエータ２４０に一体化されたモータ１３２０によって回転可能である。回転機シャフト１３１５は、モータ１３２０から垂直アクチュエータ２４０の中に、真空室３１０の外側から反応室４２０の内側の回転可能なホルダ部１３０５まで延びている。代替的実施形態では、シャフトを介したモータ１３２０からの基板の回転は、持ち上げアクチュエータ２４０とは独立して、底部から、反応室４２０底部を通って構成されている。別の代替的実施形態では、シャフトを介したモータ１３２０からの基板の回転は、側部から、反応室４２０の側壁を通って構成されている。
【０１０８】
さらに別の実施形態では、ガラス、シリコン、ＰＣＢもしくはポリマー基板などの高感度基板または高感度基板バッチが処理される。反応室４２０は、真空室３１０内に設けられ、原子層堆積は、反応室４２０内の高感度基板または高感度基板バッチに対して行われる。堆積（ＡＬＤ）後に、高感度基板は移送されるか、または高感度基板バッチは真空室３１０を介して、真空室に接続されたロードロック２２０または２６０に移送される。高感度基板は冷却されるか、高感度基板バッチは、ロードロック内において真空中で冷却される。高感度基板（複数可）を真空中で冷却することによって、これらの基板を破損する危険性が著しく低くなる。
【０１０９】
特許請求項の範囲および解釈を限定することなく、本明細書に開示された例示的実施形態のうちの１つまたは複数の特定の技術的効果が以下に列挙される。技術的効果は、同時脱気および／または加熱、ＡＬＤ処理（中間空間と反応室との間の真空レベルを調整できることを含む）、反応室内の基板の温度安定化、および冷却（アンロード圧力の調整を含む）を可能にすることである。別の技術的効果は、最小の応力で水平に置かれた可撓性基板などの高感度基板の処理を可能にすることである。さらなる技術的効果は、向きを変えずに堆積のために基板をロードすることである。さらに別の技術的効果は、反応炉への水平移動を用いた、人の手の高さでの基板のロードおよび取り扱いを容易にする真空室構造によるシステムの高さの低減である。さらに別の技術的効果は、移動する、高温でありうる金属同士の界面が存在しないように、基板を有する蓋を反応室へと垂直に下ろすことを可能にすることである。前記金属同士の界面は、粒子を生成する可能性があり、中間圧力を反応室の圧力およびガスから分離する。さらに別の技術的効果は、シールド要素と真空室内を走る長い真空ラインとによる温度制御の改善である。さらに別の技術的効果は、モジュール構造によるメンテナンスの容易さであり、場合によっては別のゲートバルブ要素によって分離された、列になっているいくつかの反応室からなるアセンブリも可能にする。さらに別の技術的効果は、垂直方向の蓋の移動による粒子生成を最小限に抑えることである。さらに別の技術的効果は、ある室が他の室内での動作とは無関係にロードまたはアンロードされうるように、同じまたは異なる中間空間内の、真空室要素の内側にいくつかの反応室を有するアセンブリである。
【０１１０】
前述の機能または方法ステップの一部は、異なる順序で、かつ／または互いと同時に実行されてもよいことに留意すべきである。さらに、前述の機能または方法ステップの１つまたは複数は任意選択であっても、または組み合わされてもよい。
【０１１１】
前述の説明は、本発明の特定の実施態様および実施形態の非限定的実施例により、本発明を実行する発明者によって現在検討される最良の方法の完全かつ有益な説明を提供した。しかし、当業者には、本発明が上述の実施形態の詳細に限定されるものではなく、本発明の特徴から逸脱することなく同等の手段を用いて他の実施形態にて実施可能であることは明らかである。
【０１１２】
さらに、上述に開示した本発明の実施形態の特徴のいくつかは、他の特徴を同様に使用することなく効果的に使用できる。したがって、上記説明は本発明の原理の単なる例に過ぎず、本発明を限定するものではないと考えられるべきである。したがって、本発明の範囲は、添付の特許請求の範囲によってのみ制約される。